(57)【特許請求の範囲】
【請求項１】
移動局との間で無線信号により通信する基地局であって、
基地局を識別する基地局ＩＤと、前記基地局に設定されている無線通信用のパラメータ情報と含む基地局情報を所定の数記憶する記憶部と、
前記移動局の移動元又は移動先のセルを形成する他の基地局の基地局ＩＤを取得する取得部と、
第１の期間内に取得された前記基地局ＩＤの取得回数を集計する集計部と、
前記取得回数の集計結果に基づいて、前記基地局ＩＤの優先度を決定する決定部と、
集計された前記基地局ＩＤの中で、前記記憶部に記憶されている基地局ＩＤよりも優先度が高く、かつ前記取得回数が所定の回数以上の基地局ＩＤがあるか否かを判別する判別部と、
前記判別部において当該基地局ＩＤがあると判別された場合、当該基地局ＩＤよりも前記優先度の低い前記基地局ＩＤを含む基地局情報を前記記憶部から削除し、当該優先度の高い前記基地局ＩＤを含む基地局情報を前記記憶部へ記憶させる管理部と
を具備し、
前記集計部は、前記取得回数を集計する処理を、前記第１の期間毎に、周期的に実施するとともに、前記処理を開始する際には、前記記憶部に記憶される前記基地局情報を全て消去してから開始することを特徴とする基地局。
【請求項２】
前記取得部は、移動局がハンドオーバする際、又は移動局が在圏セルを変更する際に前記基地局ＩＤを取得することを特徴とする請求項１に記載の基地局。
【請求項３】
前記取得部は、移動局で測定される位置情報に基づいて、当該位置情報に該当するセルを形成する他の基地局の前記基地局ＩＤを取得することを特徴とする請求項１又は２のいずれか１項に記載の基地局。
【請求項４】
前記取得部は、前記基地局ＩＤに対応する基地局と前記移動局との間における通信状態を示す状態情報を取得し、
前記集計部は、前記第１の期間内に取得された前記基地局ＩＤ毎に前記状態情報を集計し、
前記決定部は、前記取得回数に加え、前記状態情報の集計結果に基づいて、前記基地局ＩＤの優先度を決定することを特徴とする請求項１乃至３のいずれか１項に記載の基地局。
【請求項５】
前記状態情報は、移動局で測定された無線信号の受信レベル、又は通信の遅延時間であることを特徴とする請求項４に記載の基地局。
【請求項６】
前記管理部は、前記記憶部に記憶した基地局情報を記憶してから、第２の期間を経過している場合、削除することを特徴とする請求項１乃至５のいずれか１項に記載の基地局。
【請求項７】
移動局との間で無線信号により通信する基地局における通信方法であって、
基地局を識別する基地局ＩＤと、前記基地局に設定されている無線通信用のパラメータ情報と含む基地局情報を所定の数、記憶部に記憶する記憶ステップと、
前記移動局の移動元又は移動先のセルを形成する他の基地局の基地局ＩＤを取得する取得ステップと、
第１の期間内に取得された前記基地局ＩＤの取得回数を集計する集計ステップと、
前記取得回数の集計結果に基づいて、前記基地局ＩＤの優先度を決定する優先度決定ステップと、
集計された前記基地局ＩＤの中で、前記記憶部に記憶されている基地局ＩＤよりも優先度が高く、かつ前記取得回数が所定の回数以上の基地局ＩＤがあるか否かを判別する判別ステップと、
前記判別ステップにおいて当該基地局ＩＤがあると判別された場合、当該基地局ＩＤよりも前記優先度の低い前記基地局ＩＤを含む基地局情報を前記記憶部から削除し、当該優先度の高い前記基地局ＩＤを含む基地局情報を前記記憶部へ記憶させる更新ステップと
を具備し、
前記集計するステップでは、前記取得回数を集計する処理を、前記第１の期間毎に、周期的に実施するとともに、前記処理を開始する際には、前記記憶部に記憶される前記基地局情報を全て消去してから開始することを特徴とする通信方法。
【発明の詳細な説明】
【技術分野】
【０００１】
本発明は、移動局との間で無線信号により通信する基地局及び通信方法に関する。
【背景技術】
【０００２】
従来、移動通信システムでは、複数の移動局が、無線伝送路を共有して同時に通信を行う多元接続方式として、符号分割多元接続方式（以下、ＣＤＭＡ：Ｃｏｄｅ Ｄｉｖｉｓｉｏｎ Ｍｕｌｔｉｐｌｅ Ａｃｃｅｓｓ）方式、広帯域・符号分割多元接続方式（以下、Ｗ−ＣＤＭＡ：Ｗｉｄｅｂａｎｄ ＣＤＭＡ）、時分割多元接続方式（以下、ＴＤＭＡ：Ｔｉｍｅ Ｄｉｖｉｓｉｏｎ Ｍｕｌｔｉｐｌｅ Ａｃｃｅｓｓ）方式、周波数分割多元接続方式（以下、ＦＤＭＡ：Ｆｒｅｑｕｅｎｃｙ Ｄｉｖｉｓｉｏｎ Ｍｕｌｔｉｐｌｅ Ａｃｃｅｓｓ）等が知られている。
【０００３】
上述する多元接続方式の中で、例えば、ＣＤＭＡ方式によって、同一周波数帯域を複数の無線通信波で共有する移動通信システムでは、個々の無線通信波が、ランダムな符号系列である拡散コードによって区別するように構成されている。
【０００４】
特に、Ｗ−ＣＤＭＡ方式の移動通信システムで用いられる拡散コードには、高い検出特性や識別特性に加え、低送信電力でも高品質な通信を実現するため、異なる拡散コード間の相互干渉を低減できる符号直交性が求められている。このため、割当可能な拡散コード数は、上り回線よりも少ない。また、かかる拡散コードは、有効利用のため全セルで繰り返し使用されるが、基地局間（セル間）での混信を防ぐため、基地局毎に異なるコードを重畳して使用している。また、Ｗ−ＣＤＭＡ方式の移動通信システムでは、ユーザのデータを実際に広帯域拡散する拡散コードが、チャネライゼーションコードとよばれ、基地局（セル）毎に重畳するセル間混信防止用のコードが、下りスクランブリングコードと呼ばれている（例えば、特許文献１参照）。
【０００５】
また、かかる移動通信システムにおいて、移動局は、各基地局から、報知される下りスクランブリングコードに基づいて、通信先の基地局を検出している。また、かかる移動通信システムでは、基地局が、自局の周辺に位置する他の基地局で使用されている下りスクランブリングコード等の無線通信用のパラメータ情報を、テーブル（以下、周辺ゾーンテーブルと示す）に予め記憶し、当該下りスクランブリングコードを制御チャネルにより移動局へ報知している。そして、移動局は、移動により通信先の基地局を切り替える場合（例えば、ハンドオーバを行う場合）、移動前に報知された下りスクランブリングコードに基づいて、通信先の基地局の検出をより高速に行っている。よって、上述した移動通信システムでは、例えば、基地局を新設する場合、当該新設基地局（セル）の周辺に位置する他の基地局（セル）を特定すると共に、特定した他の基地局のスクランブリングコードを、新設基地局の周辺ゾーンテーブルに記憶させる必要がある。
【０００６】
かかる場合、新設基地局の周辺ゾーンテーブルには、周辺に位置する又はしないに関係なく、移動通信システムで用いられている全てのスクランブリングコードを記憶することも考えられるが、周辺ゾーンテーブルに記憶可能なスクランブリングコードの数は、移動通信システムによって制限（例えば、３２）されている。そこで、新設基地局の周辺ゾーンテーブルにスクランブリングコードを設定する際、新設基地局の周辺に位置する他の基地局が、新規基地局のトポロジ上の位置関係に基づいて、特定される場合がある。
【０００７】
しかし、かかる場合、実際の基地局の無線範囲は、例えば構造物等の影響によりトポロジ上の無線範囲とは異なることがあり、周辺ゾーンテーブルの設定が正確でない場合がある。即ち、周辺ゾーンテーブルには、実際の無線範囲に基づき、周辺に位置する他の基地局のスクランブリングコードが記憶されず、周辺に位置しない他の基地局のスクランブリングコードが記憶される場合がある。よって、従来、周辺ゾーンテーブルに他の基地局のスクランブリングコードを、より正確に記憶させるためには、現地で無線信号を測定する等の方法がとられていた。
【特許文献１】平成１１−２１５５５２号公報
【発明の開示】
【発明が解決しようとする課題】
【０００８】
しかしながら、現地での無線信号の測定作業は、広い無線範囲の測定を必要とし、作業負荷がかかるだけでなく、正確な無線範囲を測定して、周辺に位置する基地局を特定することは困難だった。
【０００９】
そこで、本発明は、上記の問題に鑑みてなされたもので、基地局において、自局が報知する無線通信用のパラメータ情報を高精度に設定するとともに、当該設定時の作業負荷を低減する基地局及び通信方法を提供することを課題とする。
【課題を解決するための手段】
【００１０】
上記目的を達成するため、本発明の第１の特徴は、移動局との間で無線信号により通信する基地局であって、基地局を識別する基地局ＩＤと、前記基地局に設定されている無線通信用のパラメータ情報と含む基地局情報を所定の数記憶する記憶部と、前記移動局の移動元又は移動先のセルを形成する他の基地局の基地局ＩＤを取得する取得部と、第１の期間内に取得された前記基地局ＩＤの取得回数を集計する集計部と、前記取得回数の集計結果に基づいて、前記基地局ＩＤの優先度を決定する決定部と、集計された前記基地局ＩＤの中で、前記記憶部に記憶されている基地局ＩＤよりも優先度が高く、かつ前記取得回数が所定の回数以上の基地局ＩＤがあるか否かを判別する判別部と、前記判別部において当該基地局ＩＤがあると判別された場合、当該基地局ＩＤよりも前記優先度の低い前記基地局ＩＤを含む基地局情報を前記記憶部から削除し、当該優先度の高い前記基地局ＩＤを含む基地局情報を前記記憶部へ記憶させる管理部とを具備することを要旨とするものである。
【００１１】
第１の特徴に係る基地局によれば、取得部が、移動局の移動元及び移動先の基地局ＩＤを取得し、優先度決定部が、取得回数に基づいて、基地局ＩＤの優先度を決定し、判別部が、所定の回数と、優先度と基づいて、記憶部に基地局ＩＤと記憶する基地局ＩＤがあるか否かを判別し、管理部が、判別部の判別結果に基づいて、記憶部から、基地局情報を削除すると共に、記憶部に基地局情報を記憶する。よって、かかる発明によれば、移動局の移動頻度に基づいて、周辺に位置する他の基地局の優先度を決定できるので、周辺に位置する他の基地局をより正確に特定できると共に、周辺に位置する他の基地局に関する基地局情報をより正確に記憶部へ記憶することができる。また、取得回数が所定の回数以上の基地局ＩＤを含む基地局情報のみが記憶部に記憶されるので、記憶部において、周辺に位置し、移動局の移動頻度が多い他の基地局の基地局情報のみを、より正確に記憶できる。また、従来行われていた記憶部に記憶する作業が、自動で行われるので、特に、記憶部に基地局情報を記憶させる作業の多い、基地局を新設する際の作業負荷を低減することができる。
【００１２】
また、本発明の第１の特徴において、前記取得部は、移動局がハンドオーバする際、又は移動局が在圏セルを変更する際に前記基地局ＩＤを取得してもよい。かかる発明によれば、移動局が受信する他の基地局の無線範囲に基づいて、周辺に位置する他の基地局の基地局ＩＤを、より正確に取得できる。
【００１３】
また、本発明の第１の特徴において、前記取得部は、移動局で測定される位置情報に基づいて、当該位置情報に該当するセルを形成する他の基地局の前記基地局ＩＤを取得してもよい。かかる発明によれば、移動局で測定された位置情報からも周辺に位置する他の基地局の基地局ＩＤを、取得できる。
【００１４】
また、本発明の第１の特徴において、前記取得部は、前記基地局ＩＤに対応する基地局と前記移動局との間における通信状態を示す状態情報を取得し、前記集計部は、前記第１の期間内に取得された前記基地局ＩＤ毎に前記状態情報を集計し、前記決定部は、前記取得回数に加え、前記状態情報の集計結果に基づいて、前記基地局ＩＤの優先度を決定してもよい。かかる発明によれば、移動局と他の基地局との間における通信状態を示す状態情報を考慮して、周辺に位置する他の基地局の基地局ＩＤを、より正確に取得できる。
【００１５】
また、本発明の第１の特徴において、前記状態情報は、移動局で測定された無線信号の受信レベル、又は通信の遅延時間であってもよい。
【００１６】
また、本発明の第１の特徴において、前記管理部は、前記記憶部に記憶した基地局情報を記憶してから、第２の期間を経過している場合、削除してもよい。かかる発明によれば、記憶部に記憶された基地局情報を、第２の期間内は削除されなくなるので、例えば、記憶された基地局情報の優先度が一時的に低くなる場合でも、すぐに削除されることを低減できる。
【００１７】
本発明の第２の特徴は、移動局との間で無線信号により通信する基地局における通信方法であって、基地局を識別する基地局ＩＤと、前記基地局に設定されている無線通信用のパラメータ情報と含む基地局情報を所定の数、記憶部に記憶する記憶ステップと、前記移動局の移動元又は移動先のセルを形成する他の基地局の基地局ＩＤを取得する取得ステップと、第１の期間内に取得された前記基地局ＩＤの取得回数を集計する集計ステップと、前記取得回数の集計結果に基づいて、前記基地局ＩＤの優先度を決定する優先度決定ステップと、集計された前記基地局ＩＤの中で、前記記憶部に記憶されている基地局ＩＤよりも優先度が高く、かつ前記取得回数が所定の回数以上の基地局ＩＤがあるか否かを判別する判別ステップと、前記判別ステップにおいて当該基地局ＩＤがあると判別された場合、当該基地局ＩＤよりも前記優先度の低い前記基地局ＩＤを含む基地局情報を前記記憶部から削除し、当該優先度の高い前記基地局ＩＤを含む基地局情報を前記記憶部へ記憶させる更新ステップとを具備することを要旨とするものである。
【発明の効果】
【００１８】
本発明によると、基地局において、自局が報知する無線通信用のパラメータ情報を高精度に設定するとともに、当該設定時の作業負荷を低減する基地局及び通信方法を提供することができる。
【発明を実施するための最良の形態】
【００１９】
図１乃至８を参照して、本発明の実施形態を説明する。なお、以下の説明において参照する各図では、同一の機能を有する部分には同一符号を付す。
【００２０】
本実施形態に係る移動通信システム１は、図１に示すように、ネットワーク３００と、制御ルータ２０１乃至２０２と、無線範囲であるセルＣ１０１乃至Ｃ１０５を形成する基地局１０１乃至１０５とを具備し、移動局５００との間で、音声情報等の通信を行う。
【００２１】
また、本実施形態に係る移動通信システム１では、移動局５００との間で行われている通信方式として、同一周波数帯を共有して通信を行うＣＤＭＡ（Ｃｏｄｅ Ｄｉｖｉｓｉｏｎ Ｍｕｌｔｉｐｌｅ Ａｃｃｅｓｓ）方式が用いられている。また、本実施形態に係る移動通信システム１では、ＣＤＭＡ方式において、ＦＤＤ（Ｆｒｅｑｕｅｎｃｙ Ｄｉｖｉｓｉｏｎ Ｄｕｐｌｅｘ）方式とＴＤＤ（Ｔｉｍｅ Ｄｉｖｉｓｉｏｎ Ｄｕｐｌｅｘ）方式とを想定しているが、上述したＣＤＭＡ方式以外に、ＴＤＭＡ（Ｔｉｍｅ Ｄｉｖｉｓｉｏｎ Ｍｕｌｔｉｐｌｅ Ａｃｃｅｓｓ）方式、ＦＤＭＡ（Ｆｒｅｑｕｅｎｃｙ Ｄｉｖｉｓｉｏｎ Ｍｕｌｔｉｐｌｅ Ａｃｃｅｓｓ）方式等を想定してもよい。
【００２２】
また、本実施形態に係る移動局５００は、ＧＰＳ（Ｇｌｏｂａｌ Ｐｏｓｉｔｉｏｎｉｎｇ Ｓｙｓｔｅｍ）により位置座標を検出する機能と、移動通信システム１だけでなく、無線ＬＡＮ通信システム等の他の移動通信システムとの間で通信する機能と、基地局１０１乃至１０５から送信される無線信号を測定する機能とを有している。また、移動局５００は、移動局５００が基地局１０１乃至１０５との間で通信を行いながら他のセルへ移動するハンドオーバを行う際や、移動により在圏セルを変更するための位置登録を行う際に、移動元のセルを形成する基地局１０１乃至１０５と、移動先のセルＣ１０１乃至１０５を形成する基地局１０１乃至１０５とに対して、移動情報を送信する。
【００２３】
ここで、移動情報は、移動局５００が、セル間を移動した際に、移動元のセルを形成する基地局１０１乃至１０５及び移動先のセルを形成する基地局１０１乃至１０５へ送信する情報である。また、かかる移動情報には、当該移動情報を送信した移動局５００を識別する移動局ＩＤと、移動元のセル及び移動先のセルを形成するそれぞれの基地局から送信された基地局ＩＤ及びスクランブリングコードと、移動局５００で測定された状態情報とが含まれている。また、かかる状態情報は、基地局ＩＤに対応する基地局と移動局との間における通信状態を示す情報であり、基地局１０１乃至１０５から送信された無線信号の受信レベルと、当該無線信号における遅延多重波の遅延時間とを含んでいる。
【００２４】
また、位置情報には、当該位置情報を送信した移動局５００を識別する移動局ＩＤと、移動局５００で測定された緯度／経度／高度の座標情報とが含まれている。ここで、移動局５００は、例えば、無線ＬＡＮ通信システム等の他の移動通信システム（図示せず）の無線範囲として、図１に示すセルＣ１０００に在圏し、当該他の移動通信システムに収容されている状態から、移動通信システム１の基地局１０１乃至１０５が形成するセルＣ１０１乃至Ｃ１０５へ移動する際には、移動元のセルＣ１０００で検出した位置座標を含む位置情報を、移動先のセルＣ１０１乃至１０５を形成する基地局１０１乃至１０５へ送信する。
【００２５】
なお、本実施形態では、上述した移動局５００は、携帯電話機や、ＰＤＡ（Ｐｅｒｓｏｎａｌ Ｄｅｇｉｔａｌ Ａｓｓｉｓｔａｎｔ）や、ノート型コンピュータなどのモバイル機器を想定している。
【００２６】
ネットワーク３００は、制御ルータ２０１乃至２０２と接続する。また、ネットワーク３００には、移動局５００の在圏するセルの位置管理や、移動局５００との間の通信等を制御する制御サーバ（図示せず）が具備されている。
【００２７】
制御ルータ２０１乃至２０２は、ネットワーク３００及び基地局１０１乃至１０５と接続する。また、制御ルータ２０１は、基地局１０１乃至１０２と基地局１０４とを収容し、制御ルータ２０２は、基地局１０３と基地局１０５とを収容する。また、制御ルータ２０１乃至２０２は、ネットワーク３００を介して、相互に通信する。
【００２８】
基地局１０１乃至基地局１０５は、制御ルータと接続している。また、基地局１０１乃至基地局１０５は、制御ルータ２０１乃至２０２及びネットワーク３００を介して、相互に通信する。また、基地局１０１乃至基地局１０５は、それぞれセルＣ１０１乃至Ｃ１０５を形成し、当該各セルＣ１０１乃至Ｃ１０５に在圏する移動局との間で無線信号により通信する。また、本実施形態では、図１に示すように、基地局１０４の形成するセルＣ１０４の周辺には、セルＣ１０１乃至Ｃ１０３と、セルＣ９９９が、隣接して形成されている場合を例に説明する。
【００２９】
また、基地局１０１乃至１０５には、無線通信用のパラメータ情報として、基地局毎に異なる下りスクランブリングコード、即ち、下り回線において使用する拡散符号が設定されている。ここで、本実施形態では、かかる無線通信用のパラメータ情報が、スクランブリングコードである場合を例に説明する。なお、かかる無線通信用のパラメータは、ＴＤＭＡ方式の移動通信システムにおける下りタイムスロットであってもよいし、ＦＤＭＡ方式の移動通信システムにおける下り周波数帯域であってもよい。
【００３０】
また、本実施形態に係る移動通信システム１では、基地局１０１に設定されている基地局ＩＤを“Ｂ１０１”とし、基地局１０２に設定されている基地局ＩＤを“Ｂ１０２”とし、基地局１０３に設定されている基地局ＩＤを“Ｂ１０３”とし、基地局１０４に設定されている基地局ＩＤを“Ｂ１０４”とし、基地局１０５に設定されている基地局ＩＤを“Ｂ１０５”として説明する。また、本実施形態に係る移動通信システム１では、基地局１０１に設定されているスクランブリングコードを、“１１”とし、基地局１０２に設定されているスクランブリングコードを、“１２”とし、基地局１０３に設定されているスクランブリングコードを、“１３”とし、基地局１０４に設定されているスクランブリングコードを、“１４”とし、基地局１０５に設定されているスクランブリングコードを、“１５”として説明する。また、本実施形態では、基地局１０１乃至１０５を識別する基地局ＩＤと、当該基地局１０１乃至１０５で使用されているスクランブリングコードとの一組を、基地局情報として説明する。
【００３１】
また、本実施形態に係る移動通信システム１では、制御ルータ２０１乃至２０２以外にも複数の制御ルータ（図示せず）が、ネットワーク３００と接続している。そして、かかる制御ルータは、複数の基地局（図示せず）を収容し、当該複数の基地局は、図１に示す複数のセルＣ９９９を形成しており、セルＣ１０４の周辺には、３２個以上のセルが存在する場合を例に説明する。
【００３２】
次に、図２を参照し、本実施形態にかかる制御ルータ２０１乃至２０２の構成を詳細に説明する。なお、制御ルータ２０１乃至２０２の構成は、同様であるため、制御ルータ２０１の構成について説明する。制御ルータ２０１は、図２に示すように、受信部２０１ａと、送信部２０１ｂと、制御部２０１ｃとを具備する。
【００３３】
受信部２０１ａは、基地局１０１乃至１０５及びネットワーク３００から送信される各種情報を受信する。送信部２０１ｂは、基地局１０１乃至１０５及びネットワーク３００へ各種情報を送信する。制御部２０１ｃは、制御ルータ２０１に具備される各種機能を制御する。
【００３４】
次に、図３乃至７を参照し、本実施形態にかかる基地局１０１乃至１０５の構成を詳細に説明する。ここで、基地局１０１乃至１０５の構成は、同様であるため、基地局１０４の構成について説明する。
【００３５】
基地局１０４は、図３に示すように、受信部１０４ａと、送信部１０４ｂと、周辺ゾーンテーブル記憶部１０４ｃと、周辺ゾーンテーブル報知部１０４ｄと、移動履歴記憶部１０４ｅと、基地局情報取得部１０４ｆと、集計部１０４ｇと、優先度決定部１０４ｈと、判別部１０４ｉと、周辺ゾーンテーブル管理部１０４ｊと、制御部１０４ｋとを具備する。
【００３６】
受信部１０４ａは、移動局５００から送信される移動情報と、位置情報とを受信する。送信部１０４ｂは、制御ルータ２０１乃至２０２とネットワーク３００とを介して、他の基地局へ、記憶要求情報と、削除要求情報とを送信する。
【００３７】
ここで、記憶要求情報とは、送信先の基地局に対して、後述する周辺ゾーンテーブルに送信元の基地局情報を記憶するように要求する情報であり、当該記憶要求情報には、送信元の基地局情報が含まれている。即ち、当該記憶要求情報には、送信元の基地局の基地局ＩＤと、送信元の基地局に設定されているスクランブリングコードとが含まれている。また、削除要求情報は、送信先の基地局に対して、後述する周辺ゾーンテーブルに記憶されている送信元の基地局情報を削除するように要求する情報であり、当該削除要求情報には、送信元の基地局ＩＤが含まれている。
【００３８】
また、送信部１０４ｂは、後述する周辺ゾーンテーブル報知部１０４ｄの制御により、自局（基地局１０４）が形成するセルＣ１０４に在圏する移動局５００に対して、周辺ゾーンテーブルに記憶している全ての基地局ＩＤ及びスクランブリングコードを報知する。
【００３９】
周辺ゾーンテーブル記憶部１０４ｃは、図４に示す周辺ゾーンテーブルＴＡ１を備えている。かかる周辺ゾーンテーブルＴＡ１は、基地局を識別する基地局ＩＤと、当該基地局に設定されている無線通信用のパラメータ情報と含む基地局情報を所定の数記憶する。
【００４０】
具体的に、周辺ゾーンテーブルＴＡ１は、自局である基地局１０４の基地局ＩＤ“Ｂ１０４”と、自局に設定されているスクランブリングコード“１４”と含む基地局情報を記憶すると共に、他の基地局として、例えば、基地局１０１の基地局ＩＤ“Ｂ１０１”と、当該基地局１０１に設定されているスクランブリングコード“１０”と含む基地局情報を記憶する。
【００４１】
また、上述する所定の数は、周辺ゾーンテーブルＴＡ１に記憶可能な基地局情報の数であり、本実施形態では、上述する周辺ゾーンテーブルＴＡ１に記憶可能な基地局情報の数が、３２個である場合を例に説明する。
【００４２】
周辺ゾーンテーブル報知部１０４ｄは、送信部１０４ｂを介して、周辺ゾーンテーブルＴＡ１に記憶されている全ての基地局情報（基地局ＩＤ及びスクランブリングコード）を、制御チャネルにより移動局５００へ報知する。
【００４３】
移動履歴記憶部１０４ｅは、移動履歴テーブルＴＡ２と、集計テーブルＴＡ３とを具備する。移動履歴テーブルＴＡ２は、図５に示すように、「年/月/日/時/分/秒」と、「移動局ＩＤ」と、「移動元・移動先基地局ＩＤ」と、「スクランブリングコード」と、「受信レベル」と、「遅延時間」とを関連付けて記憶する。なお、移動履歴テーブルＴＡ２に記憶される各種情報の詳細については、後述する。
【００４４】
集計テーブルＴＡ３は、図６に示すように、「優先度」と、「移動元・移動先基地局ＩＤ」と、「スクランブリングコード」と、「取得回数」と、「受信レベル平均値」と、「遅延時間平均値」とを関連付けて記憶する。なお、集計テーブルＴＡ３に記憶される各種情報の詳細については、後述する。
【００４５】
基地局情報取得部１０４ｆは、移動局５００がハンドオーバする際、又は移動局５００が在圏セルを変更する際、当該移動局５００の移動元又は移動先のセルを形成する他の基地局の基地局ＩＤを取得する。具体的に、基地局情報取得部１０４ｆは、受信部１０４ａにおいて、移動局５００がセル間の移動時に送信する移動情報を受信した際、当該移動情報に含まれる「移動局ＩＤ」と、移動元又は移動先の「基地局ＩＤ」と、「スクランブリングコード」と、「受信レベル」及び「遅延時間」とを取得する。また、基地局情報取得部１０４ｆは、カレンダー機能及び時計機能を有しており、受信部１０４ａにおいて、移動情報を受信した際の年月日及び時刻である「年/月/日/時/分/秒」を取得する。そして、基地局情報取得部１０４ｆは、取得した「年/月/日/時/分/秒」と、「移動局ＩＤ」と、「基地局ＩＤ」と、「スクランブリングコード」と、「受信レベル」と、「遅延時間」とを関連付けて、移動履歴テーブルＴＡ２に記憶する。
【００４６】
また、基地局情報取得部１０４ｆは、移動局５００で測定される位置情報に基づいて、当該位置情報に該当するセルを形成する他の基地局の基地局ＩＤを取得する。具体的に、基地局情報取得部１０４ｆは、図７に示す基地局特定テーブルＴＡ４を備える。かかる基地局特定テーブルＴＡ４には、移動通信システム１に具備されている全ての「基地局ＩＤ」と、当該「基地局ＩＤ」で識別される基地局に設定されている「スクランブリングコード」と、当該基地局が形成するセル範囲内の座標を示す「基地局セル範囲座標」とが関連付けられて、予め記憶されている。また、基地局情報取得部１０４ｆは、受信部１０４ａにおいて、移動局５００で測定された位置情報が受信された際、当該位置情報に含まれる「緯度／経度／高度」と、受信した際の年月日及び時刻である「年/月/日/時/分/秒」とを取得する。そして、基地局情報取得部１０４ｆは、基地局特定テーブルＴＡ４を参照し、位置情報に含まれる「緯度／経度／高度」の座標が、範囲内となる「基地局セル範囲座標」を特定すると共に、当該「基地局セル範囲座標」に関連付けて記憶されている「基地局ＩＤ」と「スクランブリングコード」とを取得する。また、基地局情報取得部１０４ｆは、取得した「年/月/日/時/分/秒」と、「基地局ＩＤ」と、「スクランブリングコード」とを関連付けて、移動履歴テーブルＴＡ２に記憶する。
【００４７】
集計部１０４ｇは、基地局ＩＤ毎に、第１の期間内に取得された基地局ＩＤの取得回数と、状態情報とを集計する。具体的に、集計部１０４ｇは、移動履歴テーブルＴＡ２を参照し、第１の期間として、例えば、１時間の内に記憶された「基地局ＩＤ」の数をカウントし、基地局ＩＤ毎に、「取得回数」として集計する。また、集計部１０４ｇは、移動履歴テーブルＴＡ２において、「基地局ＩＤ」に関連付けて記憶されている「受信レベル」及び「遅延時間」の相加平均値を算出し、それぞれ「受信レベル平均値」及び「遅延時間平均値」として集計する。そして、集計部１０４ｇは、「基地局ＩＤ」と、当該「基地局ＩＤ」関連付けて記憶されている「スクランブリングコード」と、集計結果である「取得回数」と「受信レベル平均値」と「遅延時間平均値」とを関連付けて、集計テーブルＴＡ３へ記憶する。また、この時、集計部１０４ｇは、周辺ゾーンテーブルＴＡ１を参照し、当該周辺ゾーンテーブルＴＡ１において、集計テーブルＴＡ３へ記憶した以外の「基地局ＩＤ」があるか否かを判別する。そして、集計部１０４ｇは、かかる「基地局ＩＤ」がある場合、当該「基地局ＩＤ」と、当該「基地局ＩＤ」に関連付けて記憶されている「スクランブリングコード」と、数を“０”とした「取得回数」とを関連付けて、集計テーブルＴＡ３へ更に記憶する。また、集計部１０４ｇは、上述する処理を完了した際、完了したことを、後述する優先度決定部１０４ｈへ通知する。また、集計部１０４ｇは、上述する処理を、第１の期間毎に、周期的に実施するとともに、かかる処理を開始する際には、集計テーブルＴＡ３の記憶される情報を全て消去してから開始する。なお、かかる第１の期間は、１０分間や、１日や、一週間や、１カ月間等であってもよいし、例えば、基地局情報取得部１０４ｆが、移動履歴テーブルＴＡ２に１０００個の情報を記憶する期間としてもよい。
【００４８】
優先度決定部１０４ｈは、集計部１０４ｇの前記取得回数及び状態情報の集計結果に基づいて、基地局ＩＤの優先度を決定する。具体的に、優先度決定部１０４ｈは、集計部１０４ｇから、集計処理を完了したことを通知された場合、集計テーブルＴＡ３を参照し、各「基地局ＩＤ」に関連付けて記憶されている「取得回数」の大きい順に、「優先度」を示す番号を“１”から順に決定する。ここで、本実施形態では、かかる番号が、“１”である場合、最も「優先度」が高く、番号が大きいほど、「優先度」が低いものとして説明する。また、優先度決定部１０４ｈは、決定した「優先度」を、各「基地局ＩＤ」に関連付けて、集計テーブルＴＡ３に記憶する。
【００４９】
また、この時、「取得回数」が同数の「基地局ＩＤ」がある場合、優先度決定部１０４ｈは、状態情報の集計結果である「受信レベル平均値」と「遅延時間平均値」とに基づいて、「優先度」を決定する。具体的に、優先度決定部１０４ｈは、「受信レベル平均値」及び「遅延時間平均値」の値が大きい「基地局ＩＤ」ほど「優先度」を高く決定する。なお、優先度決定部１０４ｈは、「受信レベル平均値」よりも「遅延時間平均値」の大きい「基地局ＩＤ」の「優先度」を高くする、又は、「遅延時間平均値」よりも「受信レベル平均値」の大きい「基地局ＩＤ」の「優先度」を高くする等、状態情報の集計結果に重みをつけて、「優先度」を決定してもよい。また、優先度決定部１０４ｈは、上述した処理を完了した際、完了したことを、後述する判別部１０４ｉへ通知する。
【００５０】
判別部１０４ｉは、周辺ゾーンテーブルＴＡ１及び集計テーブルＴＡ３を参照し、集計テーブルＴＡ３において集計された基地局ＩＤの中で、周辺ゾーンテーブルＴＡ１に記憶されている基地局ＩＤよりも「優先度」が高く、かつ「取得回数」が所定の回数以上の基地局ＩＤがあるか否かを判別する。具体的に、判別部１０４ｉは、優先度決定部１０４ｈから、処理を完了したことを通知された場合、集計テーブルＴＡ３を参照し、「優先度」が１乃至３２内（周辺ゾーンテーブルＴＡ１の記憶可能な基地局情報数内）の「基地局ＩＤ」の中に、周辺ゾーンテーブルＴＡ１に記憶されていない「基地局ＩＤ」があるか否かを判別する。また、判別部１０４ｉは、かかる「基地局ＩＤ」があると判別した場合、当該「基地局ＩＤ」に関連付けて記憶されている「取得回数」が、予め設定されている所定の回数として、例えば、“１５０”以上の 「取得回数」であるか否かを判別する。なお、上述した所定の回数は、“１００”であってもよいし、“５００”であってもよいし、時期によって変動させてもよい。また、判別部１０４ｉは、かかる基地局ＩＤを“１５０”以上の 「取得回数」であると判別した場合、当該「基地局ＩＤ」を記憶基地局ＩＤとして特定する。
【００５１】
また、判別部１０４ｉは、記憶基地局ＩＤを特定した後、周辺ゾーンテーブルＴＡ１に記憶される「基地局ＩＤ」の中で、集計テーブルＴＡ３において「優先度」が“３２”よりも低い、つまり番号が“３２”よりも大きい「基地局ＩＤ」があるか否かを判別する。そして、かかる「基地局ＩＤ」があると判別した場合、当該「基地局ＩＤ」を削除基地局ＩＤとして特定する。なお、この時、判別部１０４ｉは、周辺ゾーンテーブルＴＡ１に記憶される「基地局ＩＤ」の中で、自局（基地局１０４）の「基地局ＩＤ」“Ｂ１０４”がある場合は、当該自局の「基地局ＩＤ」“Ｂ１０４”を、削除基地局ＩＤとして特定しない。そして、判別部１０４ｉは、上述する処理を実施した後、特定した記憶基地局ＩＤ及び削除基地局ＩＤを周辺ゾーンテーブル管理部１０４ｊへ通知する。判別部１０４ｉは、上述した処理によって、周辺ゾーンテーブルＴＡ１へ記憶する基地局ＩＤ及び削除する基地局ＩＤを特定する。
【００５２】
周辺ゾーンテーブル管理部１０４ｊは、判別部１０４ｉにおいて記憶基地局ＩＤがあると判別された場合、記憶基地局ＩＤよりも「優先度」の低い基地局ＩＤを含む基地局情報を、周辺ゾーンテーブル記憶部１０４ｃの周辺ゾーンテーブルＴＡ１から削除し、「優先度」の高い記憶基地局ＩＤを含む基地局情報を周辺ゾーンテーブルＴＡ１へ記憶させる。具体的に、周辺ゾーンテーブル管理部１０４ｊは、判別部１０４ｉから、記憶基地局ＩＤ及び削除基地局ＩＤを通知されると、周辺ゾーンテーブルＴＡ１を参照し、削除基地局ＩＤを含む基地局情報を削除する。そして、周辺ゾーンテーブル管理部１０４ｊは、集計テーブルＴＡ３を参照し、記憶基地局ＩＤと、当該記憶基地局ＩＤに関連付けて記憶されているスクランブリングコードと含む基地局情報を周辺ゾーンテーブルＴＡ１に記憶する。また、周辺ゾーンテーブル管理部１０４ｊは、送信部１０４ｂを介して、削除基地局ＩＤで識別される他の基地局へ、当該他の基地局の周辺ゾーンテーブルに記憶されている自局（基地局１０４）の基地局ＩＤ“Ｂ１０４”を含む基地局情報を、削除するように要求する削除要求情報を送信する。また、周辺ゾーンテーブル管理部１０４ｊは、送信部１０４ｂを介して、記憶基地局ＩＤで識別される他の基地局へ、当該他の基地局の周辺ゾーンテーブルに、自局（基地局１０４）の基地局情報を、記憶するように要求する記憶要求情報を送信する。上述する処理によって、周辺ゾーンテーブルＴＡ１には、後述する移動局５００の移動頻度が少ない隣接セルを形成する基地局１０１乃至１０５の基地局情報が削除され、移動が多い隣接セルを形成する基地局１０１乃至１０５の基地局情報が記憶される。
【００５３】
制御部１０４ｋは、基地局１０４に備えられる各種機能を制御する。また、例えば、自局（基地局１０４）が、新たに設置された基地局である場合、制御部１０４ｋは、運用開始時、他の基地局の基地局情報を取得し、当該基地局情報を周辺ゾーンテーブルＴＡ１に記憶する。この時、かかる基地局情報は、後述する移動局５００から送信される移動情報に基づいて取得してもよいし、制御ルータ２０１乃至２０２から取得してもよいし、ネットワーク３００の制御サーバ（図示せず）から取得してもよい。
【００５４】
（移動通信システムの動作）
次に、図４乃至図９を参照し、本実施形態に係る移動通信システム１の動作について説明する。特に、基地局１０４に具備される各種機能の動作について説明する。ここで、本実施形態では、基地局１０４は、運用を開始した新設の基地局であり、基地局１０１乃至１０３及び基地局１０５は、既に設置されている既設の基地局である場合を例に説明する。
【００５５】
また、基地局１０４において、後述する動作を開始する前の周辺ゾーンテーブルＴＡ１には、図４に示すように、周辺に位置する基地局１０１乃至１０２の基地局ＩＤ（Ｂ１０１乃至Ｂ１０２）及びスクランブリングコード（１１乃至１２）を含む基地局情報を記憶しているが、周辺に位置する基地局１０３の基地局ＩＤ（Ｂ１０３）及びスクランブリングコード（１３）を含む基地局情報を記憶していない。即ち、かかる周辺ゾーンテーブルＴＡ１には、記憶されるべき基地局情報が記憶されていない。また、かかる周辺ゾーンテーブルＴＡ１には、周辺に位置していない基地局１０５の基地局ＩＤ（Ｂ１０５）及びスクランブリングコード（１５）を含む基地局情報が記憶されている。即ち、かかる周辺ゾーンテーブルＴＡ１には、記憶されるべきでない基地局情報（基地局１０５の基地局情報）が記憶されている。
【００５６】
上述する周辺ゾーンテーブルＴＡ１を具備する基地局１０４が、集計処理、優先度決定処理、判別処理、周辺ゾーンテーブル更新処理を実施する場合を例に、以下の動作を説明する。
【００５７】
初めに、基地局１０４では、受信部１０４ａにおいて、移動局５００から送信された移動情報を受信し、基地局情報取得部１０４ｆが、取得した「年/月/日/時/分/秒」と、「移動局ＩＤ」と、「基地局ＩＤ」と、「スクランブリングコード」と、「受信レベル」と、「遅延時間」とを関連付けて、移動履歴テーブルＴＡ２に記憶する。
【００５８】
また、基地局１０４では、受信部１０４ａが、移動局５００で測定された位置情報を受信した際、基地局情報取得部１０４ｆが、基地局検出テーブルＴＡ３を参照し、「基地局ＩＤ」と、「スクランブリングコード」とを取得すると共に、当該「基地局ＩＤ」と、「スクランブリングコード」と、「年/月/日/時/分/秒」とを関連付けて、移動履歴テーブルＴＡ２に記憶する。
【００５９】
そして、図８のステップＳ１０１において、第１の期間が経過後、集計部１０４ｇは、集計処理を実施する。具体的に、集計部１０４ｇは、移動履歴テーブルＴＡ２を参照し、第１の期間として、例えば、１時間の内に記憶された「基地局ＩＤ」の数をカウントし、基地局ＩＤ毎に、「取得回数」として集計する。また、集計部１０４ｇは、移動履歴テーブルＴＡ２において、「基地局ＩＤ」に関連付けて記憶されている「受信レベル」及び「遅延時間」の相加平均値を算出し、それぞれ「受信レベル平均値」“ＡｖＱ１乃至Ｑｚ”及び「遅延時間平均値」“ＡｖＴ１乃至Ｔｚ”として集計する。そして、集計部１０４ｇは、「基地局ＩＤ」と、当該「基地局ＩＤ」関連付けて記憶されている「スクランブリングコード」と、集計結果である「取得回数」と「受信レベル平均値」と「遅延時間平均値」とを関連付けて、図６に示すように、集計テーブルＴＡ３へ記憶する。
【００６０】
また、この時、集計部１０４ｇは、図４に示す周辺ゾーンテーブルＴＡ１を参照し、当該周辺ゾーンテーブルＴＡ１において、集計テーブルＴＡ３へ記憶した以外の「基地局ＩＤ」があるか否かを判別する。そして、集計部１０４ｇは、かかる「基地局ＩＤ」として、“Ｂ１０５”があると判別し、“Ｂ１０５”と、当該“Ｂ１０５”に関連付けて記憶されている「スクランブリングコード」“１５”と、「取得回数」“０”とを関連付けて、集計テーブルＴＡ３に記憶する。また、集計部１０４ｇは、上述する集計処理を完了した際、完了したことを、後述する優先度決定部１０４ｈへ通知する。
【００６１】
ステップＳ１０２において、優先度決定部１０４ｈは、集計部１０４ｇの集計結果に基づいて、基地局ＩＤの「優先度」を決定する優先度決定処理を実施する。具体的に、優先度決定部１０４ｈは、集計部１０４ｇから、集計処理を完了したことを通知された場合、集計テーブルＴＡ３を参照し、「取得回数」の大きい順に、「優先度」を“１”から順に決定する。また、優先度決定部１０４ｈは、決定した「優先度」を、各「基地局ＩＤ」に関連付けて、集計テーブルＴＡ３に記憶する。また、優先度決定部１０４ｈは、上述した優先度決定処理を完了したことを、判別部１０４ｉへ通知する。
【００６２】
ステップＳ１０３において、判別部１０４ｉは、優先度決定部１０４ｈから、優先度決定処理を完了したことを通知されると、集計テーブルＴＡ３を参照し、「優先度」が１乃至３２内の「基地局ＩＤ」の中に、周辺ゾーンテーブルＴＡ１に記憶されていない「基地局ＩＤ」があるか否かを判別する。そして、判別部１０４ｉは、かかる「基地局ＩＤ」が、あると判別した場合、ステップＳ１０４の動作を行い、かかる基地局ＩＤが、無いと判別した場合、動作を終了する。
【００６３】
ステップＳ１０４において、判別部１０４ｉは、図６の集計テーブルＴＡ３に示すように、順番号が１乃至３２内の基地局ＩＤの中で、周辺ゾーンテーブルＴＡ１に記憶されていない「基地局ＩＤ」として、例えば、“Ｂ１０３”があると判別し、かかる「基地局ＩＤ」“Ｂ１０３”に関連付けて記憶されている「取得回数」が、“１５０”以上であるか否かを判別する。そして、図６の集計テーブルＴＡ３に示すように、「基地局ＩＤ」“Ｂ１０３”に関連付けて記憶されている「取得回数」が、“１８０”であるため、“１５０”以上であると判別し、ステップＳ１０５の動作を行う。なお、判別部１０４ｉは、当該「取得回数」が、“１５０”以上で無いと判別した場合、動作を終了する。
【００６４】
ステップＳ１０５において、判別部１０４ｉは、ステップＳ１０４で「取得回数」が“１５０”以上であると判別された、「基地局ＩＤ」“Ｂ１０３”を記憶基地局ＩＤとして特定する。
【００６５】
ステップＳ１０６において、判別部１０４ｉは、周辺ゾーンテーブルＴＡ１に記憶される「基地局ＩＤ」の中で、集計テーブルＴＡ３において、「優先度」が“３２”よりも低い「基地局ＩＤ」があるか否かを判別する。ここで、判別部１０４ｉは、図４に示す周辺ゾーンテーブルＴＡ１に記憶される「基地局ＩＤ」の中で、集計テーブルＴＡ３において、「優先度」が“３２”よりも低い「基地局ＩＤ」として、“Ｂ１０５”があると判別し、ステップＳ１０７の動作を行う。なお、判別部１０４ｉは、かかる「基地局ＩＤ」が無いと判別した場合、動作を終了する。
【００６６】
ステップＳ１０７において、判別部１０４ｉは、ステップＳ１０６で判別された「基地局ＩＤ」“Ｂ１０５”を削除基地局ＩＤとして特定する。そして、判別部１０４ｉは、ステップＳ１０５乃至Ｓ１０６で特定した記憶基地局ＩＤ“Ｂ１０３”及び削除基地局ＩＤ“Ｂ１０５”を周辺ゾーンテーブル管理部１０４ｊへ通知する。なお、判別部１０４ｉは、周辺ゾーンテーブルＴＡ１の記憶可能な基地局情報数に、ステップＳ１０５で特定した記憶基地局ＩＤを含む基地局情報を記憶するだけの余裕がある場合、ステップＳ１０６乃至Ｓ１０７の動作を行わず、記憶基地局ＩＤのみを周辺ゾーンテーブル管理部１０４ｊへ通知してもよい。
【００６７】
ステップＳ１０８において、周辺ゾーンテーブル管理部１０４ｊは、判別部１０４ｉから、記憶基地局ＩＤ及び削除基地局ＩＤを通知されると、周辺ゾーンテーブル更新処理を実施する。具体的に、周辺ゾーンテーブル管理部１０４ｊは、判別部１０４ｉから、記憶基地局ＩＤ“Ｂ１０３”及び削除基地局ＩＤ“Ｂ１０５”を通知されると、図９（ａ）乃至（ｂ）に示すように、周辺ゾーンテーブルＴＡ１を参照し、削除基地局ＩＤ“Ｂ１０５”と、当該削除基地局ＩＤ“Ｂ１０５”に関連付けて記憶されているスクランブリングコード“１５”と含む基地局情報Ａ１を削除する。そして、周辺ゾーンテーブル管理部１０４ｊは、記憶基地局ＩＤ“Ｂ１０３”と、集計テーブルＴＡ３において、当該記憶基地局ＩＤ“Ｂ１０３”に関連付けて記憶されているスクランブリングコード“１３”とを含む基地局情報Ａ２を周辺ゾーンテーブルＴＡ１に記憶する。
【００６８】
なお、周辺ゾーンテーブル管理部１０４ｊは、周辺ゾーンテーブルＴＡ１の記憶可能な基地局情報数に、ステップＳ１０５で特定した記憶基地局ＩＤを含む基地局情報を記憶するだけの余裕があり、かつ削除基地局ＩＤが通知されず、記憶基地局ＩＤのみを通知された場合、記憶基地局ＩＤ“Ｂ１０３”と、スクランブリングコード“１３”とを含む基地局情報を周辺ゾーンテーブルＴＡ１に記憶してもよい。
【００６９】
ステップＳ１０９において、周辺ゾーンテーブル管理部１０４ｊは、送信部１０４ｂを介して、削除基地局ＩＤ“Ｂ１０５”で識別される基地局１０５へ、当該基地局１０５の周辺ゾーンテーブルに記憶されている自局（基地局１０４）の基地局ＩＤ“Ｂ１０４”を含む基地局情報を削除するように要求する削除要求情報を送信する。そして、削除要求情報を受信した基地局１０５は、当該削除要求情報に含まれる基地局１０４の基地局ＩＤ“Ｂ１０４”を含む基地局情報を、周辺ゾーンテーブルから削除する。
【００７０】
また、基地局１０４の周辺ゾーンテーブル管理部１０４ｊは、送信部１０４ｂを介して、記憶基地局ＩＤ“Ｂ１０３”で識別される基地局１０３へ、当該基地局１０３の周辺ゾーンテーブルに、自局（基地局１０４）の基地局ＩＤ“Ｂ１０４”とスクランブリングコード“１４”とを含む基地局情報を、記憶するように要求する記憶要求情報を送信する。そして、記憶要求情報を受信した基地局１０３は、当該記憶要求情報に含まれる基地局１０４の基地局ＩＤ“Ｂ１０４”とスクランブリングコード“１４”とを含む基地局情報を、周辺ゾーンテーブルに記憶する。この時、基地局１０３では、周辺ゾーンテーブルＴＡ１に記憶される基地局ＩＤの中で、最も「優先度」の低い（番号の大きい）基地局ＩＤを含む基地局情報が削除される。
【００７１】
なお、本実施形態では、新設された基地局１０４において、集計処理と、優先度決定処理と、判別処理と、周辺ゾーンテーブル更新処理とが実施される場合を例に説明したが、かかる各種処理は、他の基地局１０１乃至１０３及び基地局１０５においても実施される。また、本実施形態では、記憶基地局ＩＤ及び削除基地局ＩＤが一づつの場合を例に説明したが、かかる記憶基地局ＩＤ及び削除基地局ＩＤは複数あってもよい。なお、かかる記憶基地局ＩＤ及び削除基地局ＩＤは複数ある場合、基地局１０４では、集計テーブルＴＡ３において、「優先度」の低い基地局情報から、周辺ゾーンテーブルＴＡ１から削除され、「優先度」の高い基地局情報から、周辺ゾーンテーブルＴＡ１に記憶される。
【００７２】
（移動通信システムの作用・効果）
本実施形態に係る移動通信システム１によれば、例えば、基地局１０４において、優先度決定部１０４ｈが、移動局５００の移動頻度の多いセルを形成する基地局の基地局ＩＤの優先度が高くなるように優先度を決定し、判別部１０４ｉが、決定された優先度と、所定の回数とに基づいて、周辺ゾーンテーブルＴＡ１の削除基地局ＩＤと記憶基地局ＩＤとを特定する。そして、周辺ゾーンテーブル管理部１０４ｊは、特定された削除基地局ＩＤと記憶基地局ＩＤとに基づいて、周辺ゾーンテーブルＴＡ１から基地局情報を削除し、記憶基地局ＩＤに対応する基地局情報を周辺ゾーンテーブルＴＡ１に記憶するので、移動局５００が移動する頻度の多いセルを形成する基地局の基地局情報が、周辺ゾーンテーブルＴＡ１に記憶されるとともに、移動局５００が移動する頻度の少ないセルＣ１０１乃至Ｃ１０５を形成する基地局の基地局情報が、周辺ゾーンテーブルＴＡ１から削除される。
【００７３】
したがって、かかる移動通信システム１によれば、基地局において、自局が報知する無線通信用のパラメータ情報（スクランブリングコード等）を高精度に設定するとともに、自動で周辺ゾーンテーブル更新処理を実施するので、周辺ゾーンテーブルＴＡ１に基地局情報を記憶させる作業負荷を低減することができる。
【００７４】
さらに、かかる移動通信システム１によれば、周辺に位置する基地局１０１乃至１０５の数が、周辺ゾーンテーブルＴＡ１に記憶可能な基地局情報数以上ある場合においては、移動局５００の移動の多いセルを形成する基地局の基地局情報を、特に優先して周辺ゾーンテーブルＴＡ１に記憶させることができるので、無線通信が遮断させる等の問題が生じる移動局５００の数を低減することができる。
【００７５】
また、かかる移動通信システム１によれば、移動局５００がハンドオーバする際、又は移動局が在圏セルを変更する際に基地局ＩＤを取得するので、移動局５００が実際に受信する他の基地局の無線範囲に基づいて、周辺に位置する他の基地局の基地局ＩＤを、より正確に取得できる。また、かかる移動通信システム１によれば、移動局で測定された位置情報からも周辺に位置する他の基地局の基地局ＩＤを、取得できるので、より多くの基地局ＩＤを取得して優先度を決定できる。また、かかる移動通信システム１によれば、移動局５００と基地局との間における通信状態を示す状態情報を考慮して、他の基地局の優先度を決定するので、より正確に周辺に位置する基地局の基地局情報を取得できる。
【００７６】
（変形例）
本実施形態の変形例に係る移動通信システム１の構成について、上述した実施形態との相違点に着目して説明する。本変形例に係る移動通信システム１は、基地局１０１乃至１０５における周辺ゾーンテーブル管理部１０４ｊの構成を除き、上述した実施形態と同様である。よって、以下に周辺ゾーンテーブル管理部１０４ｊの構成について説明する。
【００７７】
本変形例に係る周辺ゾーンテーブル管理部１０４ｊは、周辺ゾーンテーブル記憶部１０４ｃの周辺ゾーンテーブルＴＡ１に基地局情報を記憶してから、第２の期間を経過している場合、削除することを特徴とする。ここで、第２の期間は、上述した第１の期間よりも長い期間である。また、具体的に、優先度決定部１０４ｈは、周辺ゾーンテーブル更新処理によって、周辺ゾーンテーブルＴＡ１に記憶された基地局情報を、第２の期間として、例えば、１２時間内は、後の周辺ゾーンテーブル更新処理を実施する際に、周辺ゾーンテーブルＴＡ１から削除しない。
【００７８】
本変形例に係る移動通信システム１によれば、周辺ゾーンテーブル更新処理によって記憶された基地局情報を、第２の期間内は削除されなくなるので、例えば、記憶された基地局情報の優先度が一時的に低くなる場合でも、すぐに削除されることを低減できる。
【００７９】
（その他の実施形態）
上述したように本発明の一例を説明したが、具体例を例示したに過ぎず、特に本発明を限定するものではなく、各部の具体的構成等は、適宜設計変更可能である。また、各実施形態及び各変更例の構成はそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【図面の簡単な説明】
【００８０】
【図１】本発明の実施形態に係る移動通信システムの構成を示す概略図である。
【図２】本発明の実施形態に係る制御ルータの構成を示すブロック図である。
【図３】本発明の実施形態に係る基地局の構成を示すブロック図である。
【図４】本発明の実施形態に係る周辺ゾーンテーブルを示す図である。
【図５】本発明の実施形態に係る移動履歴テーブルを示す図である。
【図６】本発明の実施形態に係る集計テーブルを示す図である。
【図７】本発明の実施形態に係る基地局特定テーブルを示す図である。
【図８】本発明の実施形態に係る基地局の動作を示すフローチャートである。
【図９】本発明の実施形態に係る移動通信システムにおける周辺ゾーンテーブル更新処理時の周辺ゾーンテーブルを示す図である。
【符号の説明】
【００８１】
Ａ１乃至Ａ２…基地局情報、Ｃ１０００…セル、Ｃ１０１〜Ｃ１０５…セル、Ｃ９９９…セル、Ｓ１０１乃至Ｓ１０９…ステップ、１…移動通信システム、ＴＡ１…周辺ゾーンテーブル、ＴＡ２…移動履歴テーブル、ＴＡ３…集計テーブル、ＴＡ４…基地局検出テーブル、１０１〜１０５…基地局、１０４ａ…受信部、１０４ｂ…送信部、１０４ｃ…周辺ゾーンテーブル記憶部、１０４ｃ…周辺ゾーンテーブル記憶部、１０４ｄ…周辺ゾーンテーブル報知部、１０４ｅ…移動履歴記憶部、１０４ｆ…基地局情報取得部、１０４ｇ…集計部、１０４ｈ…優先度決定部、１０４ｉ…判別部、１０４ｊ…周辺ゾーンテーブル管理部、１０４ｋ…制御部、２０１乃至２０２…制御ルータ、２０１ａ…受信部、２０１ｂ…送信部、２０１ｃ…制御部、３００…ネットワーク、５００…移動局
【図１】
0004751759.tif 000002
【図２】
0004751759.tif 000003
【図３】
0004751759.tif 000004
【図４】
0004751759.tif 000005
【図５】
0004751759.tif 000006
【図６】
0004751759.tif 000007
【図７】
0004751759.tif 000008
【図８】
0004751759.tif 000009
【図９】
0004751759.tif 000010